【手続補正書】
【提出日】平成22年11月15日(2010.11.15)
【手続補正１】
【補正対象書類名】明細書
【補正対象項目名】０１３７
【補正方法】変更
【補正の内容】
【０１３７】
したがって、本発明は上記の特定の例に限定されると考えるべきではなく、むしろ添付の特許請求の範囲に適正に記載される本発明の全ての態様を網羅すると理解されるべきである。本明細書を検討すれば、本発明を適用可能な様々な変更例、同等のプロセス、多数の構造は本発明に関連する当業者には容易に明らかになろう。特許請求の範囲はこのような修正及び装置を網羅しようとするものである。
以下に、本願発明に関連する発明の実施形態について列挙する。
［実施形態１］
微小共振器の摂動の存在を検出する方法であって、
微小共振器の少なくとも第１及び第２共振誘導光学モードを、該微小共振器と光学的に連通する光源で励起する工程と、
第１の振動数シフトを該第１共振誘導光学モードに及び第２の振動数シフトを該第２共振誘導光学モードに誘発する工程であって、該第２の振動数シフトがゼロであり得る、工程と、
該第１の振動数シフトと該第２の振動数シフトを比較する工程と、を含む方法。
［実施形態２］
前記第２の振動数シフトがゼロであり、その結果前記第１の振動数シフトと前記第２の振動数シフトとの間の差異が前記第１の振動数シフトに等しい、実施形態１に記載の方法。
［実施形態３］
前記第２の振動数シフトがゼロではない、実施形態１に記載の方法。
［実施形態４］
前記第１の振動数シフトが前記第２の振動数シフトと異なる場合に摂動が存在することを決定する工程を更に含む、実施形態１に記載の方法。
［実施形態５］
前記比較する工程が、前記第１の振動数シフトと前記第２の振動数シフトとの間の差異を決定する工程を含む、実施形態１に記載の方法。
［実施形態６］
前記光源と、
前記光源と光学的に連通する入力ポートを有する第１バス導波路を備える１つ以上のバス導波路と、
該１つ以上のバス導波路に光学的に結合する前記微小共振器と、を備える光検出システムを提供する工程を更に含む、実施形態１に記載の方法。
［実施形態７］
前記スルーポートに位置する検出器で前記第１及び第２誘導光学モードを検出する工程を更に含む、実施形態６に記載の方法。
［実施形態８］
前記光検出システムがドロップポートを有する第２バス導波路を更に備え、該第２バス導波路が前記光源及び前記微小共振器と光学的に連通し、
該ドロップポートに位置する検出器で前記第１及び第２誘導光学モードを検出する工程を更に含む、実施形態６に記載の方法。
［実施形態９］
前記微小共振器及び前記第１バス導波路が基板上に集積される、実施形態６に記載の方法。
［実施形態１０］
前記第１の振動数シフトを第１共振誘導光学モードに誘発する工程が、前記微小共振器の摂動を引き起こす工程を含む、実施形態１に記載の方法。
［実施形態１１］
前記第１の振動数シフトを第１共振誘導光学モードに誘発する工程が、前記微小共振器の表面の少なくとも一部の屈折率を変える工程を含む、実施形態１０に記載の方法。
［実施形態１２］
前記第１の振動数シフトを第１共振誘導光学モードに誘発する工程が、散乱中心と前記微小共振器との間の光結合の強度を変える工程を含む、実施形態１０に記載の方法。
［実施形態１３］
前記散乱中心がナノ粒子である、実施形態１２に記載の方法。
［実施形態１４］
前記散乱中心が金属、半導体、誘電体又はメタマテリアルナノ粒子である、実施形態１３に記載の方法。
［実施形態１５］
前記散乱中心と微小共振器との間の光結合の強度を変える工程が、前記散乱中心の屈折率を変える工程を更に含む、実施形態１２に記載の方法。
［実施形態１６］
前記散乱中心と微小共振器との間の光結合の強度を変える工程が、前記散乱中心と前記微小共振器との間の距離を変える工程を更に含む、実施形態１２に記載の方法。
［実施形態１７］
前記少なくとも第１及び第２共振光モードを励起する工程が、
前記光源で前記微小共振器の第３及び第４共振光モードを励起する工程と、
前記第３及び第４光モードと第１の光学散乱中心の相互作用によって、前記第３及び第４光モードを前記第１及び第２光モード中に散乱させる工程と、を含む、実施形態１に記載の方法。
［実施形態１８］
前記微小共振器の第１の光学散乱中心が、微小共振器のコアの残りの部分の屈折率と異なる屈折率を有する前記微小共振器のコアの散乱部分を含む、実施形態１７に記載の方法。
［実施形態１９］
前記微小共振器の第１の光学散乱中心が、前記微小共振器の表面の少なくとも一部に、二乗平均粗さが少なくとも５０ナノメートルである表面を含む、実施形態１７に記載の方法。
［実施形態２０］
前記微小共振器が多角形微小共振器であり、前記微小共振器の第１の光学散乱中心が、前記微小共振器のコアの複数の斜めの面の少なくとも１つを含む、実施形態１７に記載の方法。
［実施形態２１］
入力ポートとスルーポートとを有する第１バス導波路が光源及び前記微小共振器と光学的に連通し、前記光源が該入力ポートに位置し、
該スルーポートに位置する検出器で前記第３及び第４誘導光学モードを検出する工程を更に含む、実施形態１７に記載の方法。
［実施形態２２］
第１バス導波路が光源及び前記微小共振器と光学的に連通し、該第１バス導波路が、該光源が位置する場所に入力ポートを有し、
該入力ポートに位置する検出器で前記第１及び第２光モードを検出する工程を更に含む、実施形態１７に記載の方法。
［実施形態２３］
入力ポートを有する第１バス導波路及びドロップポートを有する第２バス導波路が、光源及び前記微小共振器と光学的に連通し、該光源が該入力ポートに位置し、
前記ドロップポートに位置する検出器で前記第３及び第４誘導光学モードを検出する工程を更に含む、実施形態１７に記載の方法。
［実施形態２４］
入力ポートを有する第１バス導波路及びドロップポートとドロップ２ポートとを有する第２バス導波路が、光源及び前記微小共振器と光学的に連通し、
該ドロップ２ポートに位置する検出器で前記第１及び第２誘導光学モードを検出する工程を更に含む、実施形態１７に記載の方法。
［実施形態２５］
微小共振器の摂動の存在を検出する方法であって、
微小共振器の少なくとも第１及び第２共振誘導光学モードを、該微小共振器と光学的に連通する光源で励起する工程であって、該微小共振器が第１の光学散乱中心を有し、該第１の散乱中心によって該第１及び第２共振誘導光学モードが少なくとも第３及び第４誘導光学モードに散乱する工程と、
第１の振動数シフトを該第１光モードに誘発し、第２の振動数シフトを該第２誘導光学モードに誘発する工程であって、該第２の振動数シフトがゼロであり得、該第１の散乱中心によって該第１及び第２周波数シフト共振誘導光学モードが少なくとも第５及び第６誘導光学モードに散乱する工程と、
該微小共振器の中心位置に位置する検出器で該第３、第４、第５、及び第６誘導光学モードを検出する工程と、
第３誘導光学モードと第５誘導光学モードとの間の第１の周波数差と、第４誘導光学モードと第６誘導光学モードとの間の第２の周波数差とを比較する工程と、を含む方法。
［実施形態２６］
前記微小共振器の第１の散乱中心が、微小共振器のコアの残りの部分の屈折率と異なる屈折率を有する前記微小共振器のコアの散乱部分を含む、実施形態２５に記載の方法。
［実施形態２７］
前記微小共振器の第１の散乱中心が、前記微小共振器の表面の少なくとも一部に、二乗平均粗さが少なくとも５０ナノメートルである表面を含む、実施形態２５に記載の方法。
［実施形態２８］
前記微小共振器が多角形微小共振器であり、前記微小共振器の第１の散乱中心が、前記微小共振器のコアの複数の斜めの面の少なくとも１つを含む、実施形態２５に記載の方法。
［実施形態２９］
前記第１共振誘導光学モードに前記第１の振動数シフトを誘発する工程が、前記微小共振器の摂動を引き起こす工程を含む、実施形態２５に記載の方法。
［実施形態３０］
前記第１の振動数シフトを前記第１共振誘導光学モードに誘発する工程が、前記微小共振器の表面の少なくとも一部の屈折率を変える工程を含む、実施形態２９に記載の方法。
［実施形態３１］
前記第１の振動数シフトを第１共振誘導光学モードに誘発する工程が、第２の光学散乱中心と前記微小共振器との間の光結合の強度を変える工程を含む、実施形態２９に記載の方法。
［実施形態３２］
前記第２の散乱中心がナノ粒子である、実施形態３１に記載の方法。
［実施形態３３］
前記第２の散乱中心が金属、半導体、誘電体又はメタマテリアルナノ粒子である、実施形態３２に記載の方法。
［実施形態３４］
前記第２の光学散乱中心と微小共振器との間の光結合の強度を変える工程が、前記第２の散乱中心の屈折率を変える工程を更に含む、実施形態３１に記載の方法。
［実施形態３５］
前記第２の光学散乱中心と微小共振器との間の光結合の強度を変える工程が、前記第２の散乱中心と前記微小共振器との間の距離を変える工程を更に含む、実施形態３１に記載の方法。
［実施形態３６］
入力ポートを有する第１バス導波路及びドロップポートとドロップ２ポートとを有する第２バス導波路が、光源及び前記微小共振器と光学的に連通し、
該ドロップ２ポートに位置する検出器で前記第３及び第４光モードを検出する工程と、
該ドロップ２ポートに位置する検出器で前記第３及び第４の周波数シフトした光モードを検出する工程と、を更に含む、実施形態２５に記載の方法。
【手続補正２】
【補正対象書類名】特許請求の範囲
【補正対象項目名】全文
【補正方法】変更
【補正の内容】
【特許請求の範囲】
【請求項１】
微小共振器の摂動の存在を検出する方法であって、
微小共振器の少なくとも第１及び第２共振誘導光学モードを、該微小共振器と光学的に連通する光源で励起する工程と、
第１の振動数シフトを該第１共振誘導光学モードに及び第２の振動数シフトを該第２共振誘導光学モードに誘発する工程であって、該第２の振動数シフトがゼロであり得る、工程と、
該第１の振動数シフトと該第２の振動数シフトを比較する工程と、を含む方法。
【請求項２】
前記第１の振動数シフトを第１共振誘導光学モードに誘発する工程が、前記微小共振器の摂動を引き起こす工程を含む、請求項１に記載の方法。
【請求項３】
前記第１の振動数シフトを第１共振誘導光学モードに誘発する工程が、散乱中心と前記微小共振器との間の光結合の強度を変える工程を含む、請求項１に記載の方法。